(57)【要約】【課題】基板側コネクタを基板から引き剥がそうとする力に対して耐久性が高い基板用コネクタを提供する。【解決手段】基板２０に固定される基板側コネクタ１０と、この基板側コネクタ１０に嵌合可能な相手側コネクタ３０とを有する基板用コネクタであって、前記基板２０もしくは前記基板側コネクタ１０を収容するケース５０と、前記相手側コネクタ３０とのいずれか一方に、前記基板側コネクタ１０と前記相手側コネクタ３０との嵌合方向に突出する嵌合凸部２０Ａを設け、他方には前記基板側コネクタ１０と前記相手側コネクタ３０との嵌合に伴って前記嵌合凸部２０Ａと嵌合する嵌合凹部３４を設けた。【選択図】図４
2009272130.tif 000002
【特許請求の範囲】
【請求項１】
基板に固定される基板側コネクタと、この基板側コネクタに嵌合可能な相手側コネクタとを有する基板用コネクタであって、
前記基板もしくは前記基板側コネクタを収容するケースと、前記相手側コネクタとのいずれか一方に、前記基板側コネクタと前記相手側コネクタとの嵌合方向に突出する嵌合凸部を設け、他方には前記基板側コネクタと前記相手側コネクタとの嵌合に伴って前記嵌合凸部と嵌合する嵌合凹部を設けたことを特徴とする基板用コネクタ。
【請求項２】
前記嵌合凸部は、前記基板の周縁部のうち前記相手側コネクタとの嵌合側の縁部に設けられていることを特徴とする請求項１に記載の基板用コネクタ。
【請求項３】
前記嵌合凸部または前記嵌合凹部は、前記ケースのうち前記相手側コネクタとの嵌合側を覆う蓋部に設けられていることを特徴とする請求項１に記載の基板用コネクタ。
【請求項４】
前記嵌合凸部または前記嵌合凹部は、前記相手側コネクタのうち前記嵌合方向に対して略直交方向に突出する形状をなす指当て部に設けられていることを特徴とする請求項１ないし請求項３のいずれか１項に記載の基板用コネクタ。
【発明の詳細な説明】
【技術分野】
【０００１】
本発明は、基板に取り付けられる基板用コネクタに関する。
【背景技術】
【０００２】
基板用コネクタとして、例えば特許文献１に記載のものが知られている。この基板用コネクタは、基板に固定される基板側コネクタと、基板側コネクタに嵌合可能な相手側コネクタとを有している。基板側コネクタのハウジングには、金属板からなる固定金具が備えられ、固定金具の半田付け部が基板に半田付けされることで、基板側コネクタが基板に対して固定される。
【特許文献１】特開２００７−８７９０３公報
【発明の開示】
【発明が解決しようとする課題】
【０００３】
ところで、基板側コネクタと相手側コネクタとが嵌合した状態で、相手側コネクタから引き出されているワイヤハーネスが上方（基板とは反対側）へ引っ張られると、その上向きの力が固定金具の半田付け部分に集中して作用することになる。ここで、固定金具の半田付け部分が万が一損傷等してしまうと、基板側コネクタが基板から引き剥がされてしまうので、そのような事態を回避するべく、引き剥がし力に対する耐久性をさらに高めたいという要望があった。
【０００４】
本発明は上記のような事情に基づいて完成されたものであって、基板側コネクタを基板から引き剥がそうとする力に対して耐久性が高い基板用コネクタを提供することを目的とする。
【課題を解決するための手段】
【０００５】
本発明は、基板に固定される基板側コネクタと、この基板側コネクタに嵌合可能な相手側コネクタとを有する基板用コネクタであって、前記基板もしくは前記基板側コネクタを収容するケースと、前記相手側コネクタとのいずれか一方に、前記基板側コネクタと前記相手側コネクタとの嵌合方向に突出する嵌合凸部を設け、他方には前記基板側コネクタと前記相手側コネクタとの嵌合に伴って前記嵌合凸部と嵌合する嵌合凹部を設けたことに特徴を有する。
【０００６】
このような構成によれば、基板側コネクタと相手側コネクタとが嵌合した状態で、相手側コネクタに、基板側コネクタを基板から引き剥がす向きの力が作用すると、嵌合凸部が嵌合凹部に当接してその力が基板またはケースに受け持たれる。したがって、従来のように、基板側コネクタを基板から引き剥がそうとする力が、そのまま基板側コネクタに作用する場合に比べて、基板用コネクタの耐久性を高めることができる。
【０００７】
前記嵌合凸部は、前記基板の周縁部のうち前記相手側コネクタとの嵌合側の縁部に設けられているものとしてもよい。
また、前記嵌合凸部または前記嵌合凹部は、前記ケースのうち前記相手側コネクタとの嵌合側を覆う蓋部に設けられているものとしてもよい。
【０００８】
前記嵌合凸部または前記嵌合凹部は、前記相手側コネクタのうち前記嵌合方向に対して略直交方向に突出する形状をなす指当て部に設けられているものとしてもよい。これにより、指当て部とは別の部分に嵌合凸部または嵌合凹部を設ける場合に比べて、相手側コネクタをコンパクトにすることができる。
【発明の効果】
【０００９】
本発明によれば、基板側コネクタを基板から引き剥がそうとする力に対して耐久性が高い基板用コネクタを提供することができる。
【発明を実施するための最良の形態】
【００１０】
＜実施形態１＞
以下、本発明の実施形態１を図１〜図４によって説明する。
本実施形態における基板用コネクタは、ハウジング１１に備えられた固定金具１３が基板２０に半田付けされることにより基板２０に対して固定される基板側コネクタ１０と、この基板側コネクタ１０に嵌合可能な相手側コネクタ３０とを有するものである。以下、各構成部材において、両コネクタ１０，３０における嵌合面側を前方とし、また、図１の上側を上方、下側を下方として説明する。
【００１１】
基板側コネクタ１０のハウジング（以後、基板側ハウジング１１と称する）は合成樹脂製であって、相手側コネクタ３０のハウジング（同、相手側ハウジング３１）を内嵌可能なフード部１２を有し、全体として横長の扁平な形状をなしている。フード部１２は、横長の角筒状をなして前方（相手側コネクタ３０との嵌合方向）に開口している。基板側コネクタ１０は、フード部１２の開口端を基板２０の周縁部に沿わせた姿勢で、基板２０の上面に載置されて固定される。
【００１２】
フード部１２の奥壁１２Ａには、相手側コネクタ３０と基板２０との間を電気的に接続する複数本の端子１４が備えられている。複数本の端子１４は、幅方向に並列した状態で、基板側ハウジング１１の厚さ方向（上下方向）に２段にわけて配されている。各端子１４は、フード部１２の奥壁１２Ａを前後方向に貫通しており、奥壁１２Ａから後側（相手側コネクタ３０との嵌合側とは反対側）へ突出した部分は、奥壁１２Ａから後側へ所定寸法だけ延出した位置において下方（略直角方向）へ屈曲された後、さらにその先端部が基板２０の板面に沿う向きに略直角方向に屈曲された形状をなしている。この先端部は、半田付けにより基板２０の導電路（図示せず）に接続される基板側接続部１４Ａとされている。また、端子１４のうちフード部１２の奥壁１２Ａから前側（相手側コネクタ３０との嵌合側）へ突出した部分は、相手側コネクタ３０の相手側端子（図示せず）と接続可能な相手側接続部１４Ｂとされている。
【００１３】
フード部１２の上壁１２Ｂには、その幅方向略中央位置に、相手側コネクタ３０のロックアーム３２が係止可能なロック突部１５が下方（フード部１２の内方）へ突出して設けられている。
【００１４】
基板側ハウジング１１の両側面（フード部１２の両側壁１２Ｃ）には、固定金具１３を装着可能な装着溝１６が設けられている。装着溝１６は、基板側ハウジング１１の前後方向の略中央部に配され、上方から固定金具１３が挿入されて装着される。
【００１５】
固定金具１３は、金属板をプレス加工して形成されたものである。固定金具１３は、基板側ハウジング１１の両側面に沿って配される本体部１３Ａと、基板２０の上面に半田付けされる半田付け部１３Ｂとを有している。本体部１３Ａの両側縁部には、幅方向に突出する図示しない食い込み部と段付き部とが設けられ、食い込み突起が装着溝１６の側縁に食い込むとともに、段付き部が装着溝１６の段付き部（図示せず）に当接することで、固定金具１３の下端が基板側ハウジング１１の下面と同じ高さ位置かそれよりも少し下方へ突出した位置に位置決めされるとともに抜け止めされて取り付けられている。
【００１６】
固定金具１３の半田付け部１３Ｂは、本体部１３Ａの下端においてその板面に対して略直角に曲げられた部分であり、本体部１３Ａと一体に形成されている。基板側コネクタ１０を基板２０の上面に載置すると、半田付け部１３Ｂの板面は基板２０の上面に沿って配される。半田付け部１３Ｂを上下方向から見ると、前後方向に長い略長方形状をなし、その長手方向寸法（前後方向寸法）は、本体部１３Ａの幅方向寸法と同等とされている。
【００１７】
相手側ハウジング３１は合成樹脂製であって、全体として横長のブロック状をなしている。相手側ハウジング３１の内部には、図示しない電線の端末に接続された端子が幅方向に並列した状態で上下２段にわけて収容されている。相手側ハウジング３１の側面には、正規位置に収容された端子１４を、図示しないランスとともに抜け止めするサイドタイプのリテーナ３５が装着されている。
【００１８】
相手側ハウジング３１の上面における幅方向の中央位置には、上下方向に撓み変形可能とされたロックアーム３２が設けられ、その上面に突設された係止突起３２Ａがフード部１２に設けられたロック突部１５に弾性的に係止することにより、両コネクタ１０，３０は離脱規制状態にロックされる。
【００１９】
また、相手側ハウジング３１の後端部には、指当て部３３が設けられている。指当て部３３は、相手側ハウジング３１の上方及び下方（嵌合方向に対して略直交方向）に突出する壁状をなしている。相手側ハウジング３１の上面に設けられた上側指当て部３３Ａは、相手側ハウジング３１の全幅にわたる幅寸法を備えている。一方、相手側ハウジング３１の下面に設けられた下側指当て部３３Ｂは、上側指当て部３３Ａよりも若干幅寸法が小さく、相手側ハウジング３１の幅方向中央部に設けられている。相手側コネクタ３０を基板側コネクタ１０に対して嵌合・離脱する際には、上下指当て部３３に手指を当てて、容易に行うことができる。
【００２０】
さて、基板２０には、前方（相手側コネクタ３０との嵌合方向）に突出する嵌合凸部２０Ａが設けられている。嵌合凸部２０Ａは、基板２０の周縁部のうち前側（相手側コネクタ３０との嵌合側）の縁部、言い換えると、基板側コネクタ１０のフード部１２の開口端が沿って配される側の縁部に設けられている（図２参照）。
【００２１】
嵌合凸部２０Ａは、基板２０の周縁部が部分的に突出してなるものであり、基板２０のうち基板側コネクタ１０が載置される載置部２０Ｂと一体である。嵌合凸部２０Ａは、基板２０の周方向に長い略長方形状をなしており、嵌合凸部２０Ａの両側縁は、両コネクタ１０，３０の嵌合方向に略平行をなし、嵌合凸部２０Ａの前縁は、同嵌合方向に略直交をなしている。嵌合凸部２０Ａは、基板２０の載置部２０Ｂに取り付けられた基板側コネクタ１０の幅方向中央に配される位置に設けられている。
【００２２】
一方、相手側コネクタ３０には、基板側コネクタ１０との嵌合に伴って、基板２０の嵌合凸部２０Ａと嵌合する嵌合口３４（本発明の嵌合凹部に該当する）が設けられている。嵌合口３４は、図３に示すように、下側指当て部３３Ｂの幅方向中央部に形成されている。嵌合口３４は、嵌合凸部２０Ａにほぼ隙間なく外嵌する幅方向に細長い略長方形状をなして、下側指当て部３３Ｂを前後方向に貫通している。
【００２３】
次に、基板２０に固定された基板側コネクタ１０と相手側コネクタ３０との嵌合動作について説明する。
基板側コネクタ１０のフード部１２に、相手側ハウジング３１の先端部を少しずつ嵌合させると、端子１４の相手側接続部１４Ｂが相手側ハウジング３１内に挿入されていく。やがて、両コネクタ１０，３０が正規の嵌合状態に近づくと、基板２０の嵌合凸部２０Ａの先端が、下側指当て部３３Ｂの嵌合口３４に差し入れられる。そして、両コネクタ１０，３０が正規の嵌合状態に至ったときには、嵌合凸部２０Ａの先端部が下側指当て部３３Ｂを貫通して先方に突出し、また嵌合凸部２０Ａの周面が嵌合口３４の周面にほぼ隙間なく接した状態になる。こうして、嵌合凸部２０Ａと嵌合口３４とが嵌合するとともに、ロックアーム３２がロック突部１５に係止して両コネクタ１０，３０が離脱規制状態に保持される。
【００２４】
上記のように構成された本実施形態によれば、以下の効果を奏する。
相手側コネクタ３０から引き出された電線が上方へ引っ張られる等により相手側ハウジング３１に上向きの力が作用すると、相手側ハウジング３１は後側（電線が導出されている側）から上方へ持ち上がるように変位しようとする。すると、下側指当て部３３Ｂに設けられた嵌合口３４が基板２０に設けられた嵌合凸部２０Ａに当接し、相手側ハウジング３１にかかる上向きの力（基板側コネクタ１０を基板２０から引き剥がそうとする力）が基板２０に受け持たれた状態になる。これにより、基板側ハウジング１１に作用する上向きの力は小さくなるから、従来のように、相手側ハウジング３１にかかる上向きの力がそのまま基板側ハウジング１１に作用して固定金具１３の半田付け部１３Ｂのみがその力を受け持つ場合に比べて、確実に半田付け部１３Ｂの半田層の損傷を防止することができ、もって基板用コネクタの耐久性を高めることができる。
【００２５】
＜実施形態２＞
次に、本発明の実施形態２に係る基板用コネクタを図５〜図７によって説明する。
本実施形態の基板用コネクタは、嵌合凸部５１が、基板ではなく基板側コネクタ１０を収容するケース５０に設けられている点で、実施形態１とは相違する。なお、実施形態１と同様の構成には同一符号を付して重複する説明を省略する。
【００２６】
本実施形態の基板用コネクタは、実施形態１と同様、基板Ｐに対して固定される基板側コネクタ１０と、この基板側コネクタ１０に嵌合可能な相手側コネクタ３０とを有している。
【００２７】
基板側コネクタ１０を収容するケース５０は、基板側コネクタ１０を収容するケース本体部５２と、ケース本体部５２の開口を塞ぐ蓋部５３とを有している。ケース本体部５２は前側（相手側コネクタ３０の嵌合側）に開口している。ケース本体部５２の両側壁には、基板Ｐの両側縁が係合する係合溝５４が前後方向に延びて設けられている。この係合溝５４に、基板側コネクタ１０が固定された基板Ｐの両側縁を嵌め込んでケース５０の奥側へ押し込むと、基板Ｐはケース５０内に水平な姿勢で収容されて保持される。基板Ｐに固定された基板側コネクタ１０は、ケース５０の開口側にフード部１２が開口する向きでケース５０内に収容され、フード部１２の開口端はケース５０の開口端と前後方向のほぼ同位置に配される（図５参照）。
【００２８】
ケース５０の蓋部５３は、ケース本体部５２の開口に着脱自在に取り付けられるものであり、図示しない係合手段によりケース本体部５２に閉じ状態に保持される。蓋部５３のうちケース５０内に収容された基板側コネクタ１０のフード部１２との対向部分には、開口窓５５が形成されている。開口窓５５は、基板側コネクタ１０のフード部１２の外形に沿う形状をなし、基板側コネクタ１０のフード部１２が開口窓５５を介してケース５０の外側に臨んだ状態になる。
【００２９】
そして、ケース５０の蓋部５３には、嵌合凸部５１が設けられている。嵌合凸部５１は、実施形態１と同様、相手側コネクタ３０の嵌合口３４に嵌合可能な横長の略長方形状をなし、開口窓５５の下縁に沿って蓋部５３から略水平方向に突出して設けられている。嵌合凸部５１は、基板Ｐの板厚寸法と同等の厚さ寸法を備え、ケース５０の側壁に設けられた係合溝５４と同等の高さ位置に設けられており、その上面はケース５０に収容された基板Ｐの上面と面一をなす。
【００３０】
上記のように構成された実施形態２によれば、以下の効果を奏する。
基板側コネクタ１０と相手側コネクタ３０とが嵌合した状態で、相手側コネクタ３０から引き出された電線が上方へ引っ張られる等すると、相手側ハウジング３１の後端が上方へ持ち上がろうとし、下側指当て部３３Ｂに設けられた嵌合口３４がケース５０に設けられた嵌合凸部５１に当接する。これにより、相手側ハウジング３１にかかる上向きの力（基板側コネクタ１０を基板Ｐから引き剥がそうとする力）は、ケース５０に受け持たれた状態になり、実施形態１と同様、基板側ハウジング１１の基板Ｐとの固定部分に作用する上向きの力は小さくなるから、基板用コネクタの耐久性を高めるという効果を得ることができる。
【００３１】
＜他の実施形態＞
本発明は上記記述及び図面によって説明した実施形態に限定されるものではなく、例えば次のような実施形態も本発明の技術的範囲に含まれる。
【００３２】
（１）上記実施形態では、嵌合凸部２０Ａは略長方形状をなしているが、どのような形状であってもよく、また、嵌合凸部を、基板用コネクタの幅方向に複数、間欠的に設けるようにしてもよい。
【００３３】
（２）上記実施形態では、相手側コネクタ３０には、嵌合凸部２０Ａが嵌合する嵌合口３４が下側指当て部３３Ｂを貫通して形成されているが、これに限らず、下側指当て部に凹み（嵌合凹部）を形成してもよい。また、嵌合凹部は、下側指当て部に限らず、相手側コネクタのどの部位に設けてもよい。
【００３４】
（３）実施形態２では、ケース５０の蓋部５３に嵌合凸部５１が設けられ、相手側コネクタ３０に嵌合口３４が設けられているが、これとは逆に、ケースの蓋部に嵌合口を設け、相手側コネクタに嵌合凸部を設けるようにしてもよい。
【００３５】
（４）実施形態２では、ケース５０の蓋部５３はケース本体部５２に対して着脱自在なものとされているが、例えばケースの蓋部はケース本体部と一体に形成された壁部であってもよく、この壁部に嵌合凸部または嵌合口を設けるようにしてもよい。
【図面の簡単な説明】
【００３６】
【図１】実施形態１にかかる基板用コネクタの嵌合前の状態を表す側断面図
【図２】同平断面図
【図３】相手側コネクタの正面図
【図４】基板用コネクタの正規の嵌合状態を表す側断面図
【図５】実施形態２にかかる基板用コネクタの嵌合前の状態を表す側断面図
【図６】ケースに収容された基板側コネクタの正断面図
【図７】基板用コネクタの正規の嵌合状態を表す側断面図
【符号の説明】
【００３７】
１０…基板側コネクタ
２０，Ｐ…基板
２０Ａ，５１…嵌合凸部
３０…相手側コネクタ
３３Ｂ…下側指当て部（指当て部）
３４…嵌合口（嵌合凹部）
５０…ケース
５３…蓋部
【図１】
2009272130.tif 000003
【図２】
2009272130.tif 000004
【図３】
2009272130.tif 000005
【図４】
2009272130.tif 000006
【図５】
2009272130.tif 000007
【図６】
2009272130.tif 000008
【図７】
2009272130.tif 000009